(57)【特許請求の範囲】
【請求項１】
被写体に向けて放射線を照射する放射線源と、
前記放射線源から照射され前記被写体を透過した放射線に応じた電荷を発生させるセンサ部を有し、前記センサ部において生成された電荷を読み出して放射線画像の画像データを生成する放射線検出器と、
前記センサ部に残留する電荷を消去するための消去光を前記放射線検出器に照射する消去光源と、
前記放射線検出器が、第１の照射時間で前記放射線源から照射された放射線に基づいて放射線画像の画像データを生成する第１の撮影モードの場合には、少なくとも放射線の照射の開始から前記放射線検出器による電荷の読み出しの終了までの間、前記消去光源を消灯状態とし、前記放射線検出器が、前記第１の照射時間よりも照射時間の短い第２の照射時間で前記放射線源から複数回照射された放射線に基づいて複数の放射線画像の画像データを生成する第２の撮影モードの場合には、少なくとも最初の放射線の照射から最後の放射線の照射後の前記放射線検出器による電荷の読み出しの終了までの間、前記消去光源を点灯状態とする制御部と、
を含む放射線画像撮影装置。
【請求項２】
前記第２の撮影モードは、前記放射線源から複数の照射角度で前記被写体に放射線を照射して複数の放射線画像を連続的に撮影するトモシンセシス撮影モードである
請求項１に記載の放射線画像撮影装置。
【請求項３】
前記第２の撮影モードは、前記放射線源から所定の時間間隔で前記被写体に放射線を照射して複数の放射線画像を連続的に撮影する動画撮影モードである
請求項１に記載の放射線画像撮影装置。
【請求項４】
前記第１の撮影モードは、前記放射線源から所定の照射角度で前記被写体に放射線を照射して放射線画像を撮影する２Ｄ撮影モードである
請求項１乃至３のいずれか１項に記載の放射線画像撮影装置。
【請求項５】
前記制御部は、前記第１の撮影モードにおいて、前記放射線検出器による電荷の読み出しの終了後に前記消去光源を点灯状態とする
請求項１乃至４のいずれか１項に記載の放射線画像撮影装置。
【請求項６】
前記制御部は、前記第１の撮影モードにおいて、放射線の照射の開始前から前記消去光源を消灯状態とする
請求項１乃至５のいずれか１項に記載の放射線画像撮影装置。
【請求項７】
前記制御部は、前記第２の撮影モードにおいて、最初の放射線の照射の開始前から前記消去光源を点灯状態とする
請求項１乃至６のいずれか１項に記載の放射線画像撮影装置。
【請求項８】
前記第１の撮影モードによる撮影と前記第２の撮影モードによる撮影とを連続して行う
請求項１乃至７のいずれか１項に記載の放射線画像撮影装置。
【請求項９】
前記制御部は、前記第２の撮影モードによる撮影を行った後に前記第１の撮影モードによる撮影を行う場合には、前記第２の撮影モードにおいて、前記放射線検出器による最後の放射線の照射後の電荷の読み出しの終了時に前記消去光源を消灯状態とする
請求項８に記載の放射線画像撮影装置。
【請求項１０】
前記制御部は、前記第１の撮影モードによる撮影を行った後に前記第２の撮影モードによる撮影を行う場合には、前記第１の撮影モードにおいて、前記放射線検出器による電荷の読み出しの終了時に前記消去光源を点灯状態とする
請求項８に記載の放射線画像撮影装置。
【請求項１１】
前記第１の撮影モードによる撮影と前記第２の撮影モードによる撮影とを独立して行う
請求項１乃至７のいずれか１項に記載の放射線画像撮影装置。
【請求項１２】
コンピュータを、請求項１乃至１１のいずれか１項に記載の放射線画像撮影装置における前記制御部として機能させるためのプログラム。
【請求項１３】
被写体に向けて放射線を照射する放射線源と、前記放射線源から照射され前記被写体を透過した放射線に応じた電荷を発生させるセンサ部を有し、前記センサ部において生成された電荷を読み出して放射線画像の画像データを生成する放射線検出器と、前記センサ部に残留する電荷を消去するための消去光を前記放射線検出器に照射する消去光源と、を含む放射線画像撮影装置における前記消去光源の制御方法であって、
前記放射線検出器が、第１の照射時間で前記放射線源から照射された放射線に基づいて放射線画像の画像データを生成する第１の撮影モードの場合には、少なくとも放射線の照射の開始から前記放射線検出器による電荷の読み出しの終了までの間、前記消去光源を消灯状態とし、前記放射線検出器が、前記第１の照射時間よりも照射時間の短い第２の照射時間で前記放射線源から複数回照射された放射線に基づいて複数の放射線画像の画像データを生成する第２の撮影モードの場合には、少なくとも最初の放射線の照射から最後の放射線の照射後の前記放射線検出器による電荷の読み出しの終了までの間、前記消去光源を点灯状態とする制御方法。
【発明の詳細な説明】
【技術分野】
【０００１】
本発明は、放射線画像撮影装置、消去光源の制御方法およびプログラムに関する。
【背景技術】
【０００２】
乳房のＸ線撮影を行う放射線検出器（ＦＰＤ：flat panel detector）を備えたマンモグラフィ装置等の放射線画像撮影装置が知られている。放射線検出器は、変換方式の違いにより直接変換方式と間接変換方式に分けられる。直接変換方式の放射線検出器は、Ｘ線情報をアモルファスセレン（a-Se）を用いた光導電層によって直接電気信号に変換する方式である。
【０００３】
直接変換方式の放射線検出器は、高鮮鋭度と高感度の両立を実現することができる。しかしながら、光導電層にアモルファスセレン（a-Se）を用いた放射線検出器は、光導電層において生じた電荷の輸送遅延に起因して残像が発生しやすいことが指摘されている。この残像を消去するために、放射線検出器に向けて光（以下、消去光という）を照射することにより光導電層内部に光電荷を発生させ、光導電層に残留する残留電荷の消滅を促進させることが行われている。
【０００４】
例えば、特許文献１には、Ｘ線管から照射するＸ線撮影条件を設定する撮影条件設定手段と、Ｘ線検出器に残像除去のためのバックライトを照射する光照射部と、光照射部から照射するバックライトの電圧値を設定する電圧値設定手段と、撮影条件設定手段で設定される撮影条件に対応して求められた残像除去に最適なバックライト電圧値を格納した撮影条件―電圧値相関テーブルとを備え、撮影条件に応じて、撮影条件―電圧値相関テーブルから最適なバックライト電圧値を抽出し、電圧値設定手段におけるバックライト電圧値となるように置換し、バックライトを照射することが記載されている。
【０００５】
また、特許文献２には、放射線源から照射された放射線により潜像が形成された輝尽性蛍光体プレートに励起光を照射することによって輝尽光を放出させ、輝尽光に基づき画像情報を読み取った後、輝尽性蛍光体プレートに消去光を照射することによって、残像を消去する放射線画像撮影装置の制御方法において、同一の輝尽性蛍光体プレートで複数回の撮影を行う場合、次の撮影において、輝尽性蛍光体プレートに対して照射される放射線の量を予測して、消去光の照射時間を変更することが記載されている。
【先行技術文献】
【特許文献】
【０００６】
【特許文献１】特開２００９−１１５２６号公報
【特許文献２】特開２００２−２９６７１３号公報
【発明の概要】
【発明が解決しようとする課題】
【０００７】
マンモグラフィ装置においては、放射線を複数の方向から照射することにより取得した複数の投影画像を再構成して断層画像を生成するトモシンセシス撮影機能を搭載した装置が知られている。トモシンセシス撮影においては、放射線の照射角度を順次切り替えながら、複数の投影画像を連続的に撮影する。
【０００８】
トモシンセシス撮影において、残像消去のために複数回に亘る放射線の照射のタイミングに合わせて消去光の点灯および消灯を繰り返すと画像信号のオフセットが変動し、放射線画像の濃度値が変動してしまうため好ましくない。消去光の点灯によって光導電層において光電荷が発生し、消去光の消灯で光電荷が自然消滅するが、光電荷の発生および消滅は、消去光の点灯および消灯のタイミングに対して遅延する。従って、消去光の点灯および消灯を短周期で繰り返すと光導電層内部の電荷が定常状態とはならず、画像信号のオフセットの変動をもたらす。
【０００９】
一方、消去光を点灯させた状態で放射線画像の撮影を行うと放射線画像にムラが生じるという問題がある。消去光を照射することによって光導電層内部に生じる光電荷は、放射線検出器を構成する各層の層厚のゆらぎ等に起因して不均一となる。この光電荷の不均一性が上記のムラの原因となる。１回の放射線の照射時間が比較的短い（例えば１００ｍｓｅｃ程度）トモシンセシス撮影においては、上記のムラが問題となりにくいが、１回の放射線の照射時間がトモシンセシス撮影時の照射時間よりも長い（例えば１〜６ｓｅｃ程度）２Ｄ（二次元）撮影においては、上記のムラが顕著となる。
【００１０】
本発明は、上記した点に鑑みてなされたものであり、放射線の照射時間が比較的短く且つ連続的に放射線画像を撮影する撮影モードと、放射線の照射時間が比較的長い撮影モードの両モードにおいて、従来よりも高画質の放射線画像を得ることができる、放射線画像撮影装置、消去光源の制御方法およびプログラムを提供することを目的とする。
【課題を解決するための手段】
【００１１】
本発明の第１の観点によれば、被写体に向けて放射線を照射する放射線源と、放射線源から照射され被写体を透過した放射線に応じた電荷を発生させるセンサ部を有し、センサ部において生成された電荷を読み出して放射線画像の画像データを生成する放射線検出器と、センサ部に残留する電荷を消去するための消去光を放射線検出器に照射する消去光源と、放射線検出器が、第１の照射時間で放射線源から照射された放射線に基づいて放射線画像の画像データを生成する第１の撮影モードの場合には、少なくとも放射線の照射の開始から放射線検出器による電荷の読み出しの終了までの間、消去光源を消灯状態とし、放射線検出器が、第１の照射時間よりも照射時間の短い第２の照射時間で放射線源から複数回照射された放射線に基づいて複数の放射線画像の画像データを生成する第２の撮影モードの場合には、少なくとも最初の放射線の照射から最後の放射線の照射後の放射線検出器による電荷の読み出しの終了までの間、消去光源を点灯状態とする制御部と、を含む放射線画像撮影装置が提供される。
【００１２】
本発明の第２の観点によれば、第２の撮影モードが、放射線源から複数の照射角度で被写体に放射線を照射して複数の放射線画像を連続的に撮影するトモシンセシス撮影モードである第１の観点による放射線画像撮影装置が提供される。
【００１３】
本発明の第３の観点によれば、第２の撮影モードが、放射線源から所定の時間間隔で被写体に放射線を照射して複数の放射線画像を連続的に撮影する動画撮影モードである第１の観点による放射線画像撮影装置が提供される。
【００１４】
本発明の第４の観点によれば、第１の撮影モードが、放射線源から所定の照射角度で被写体に放射線を照射して放射線画像を撮影する２Ｄ撮影モードである第１乃至第３のいずれかの観点による放射線画像撮影装置が提供される。
【００１５】
本発明の第５の観点によれば、制御部が、第１の撮影モードにおいて、放射線検出器による電荷の読み出しの終了後に消去光源を点灯状態とする第１乃至第４のいずれかの観点による放射線画像撮影装置が提供される。
【００１６】
本発明の第６の観点によれば、制御部が第１の撮影モードにおいて、放射線の照射の開始前から消去光源を消灯状態とする１乃至５のいずれかの観点による放射線画像撮影装置が提供される。
【００１７】
本発明の第７の観点によれば、制御部が、第２の撮影モードにおいて、最初の放射線の照射の開始前から消去光源を点灯状態とする第１乃至第６のいずれかの観点による放射線画像撮影装置が提供される。
【００１８】
本発明の第８の観点によれば、第１の撮影モードによる撮影と第２の撮影モードによる撮影とを連続して行う第１乃至第７のいずれかの観点による放射線画像撮影装置が提供される。
【００１９】
本発明の第９の観点によれば、制御部が、第２の撮影モードによる撮影を行った後に第１の撮影モードによる撮影を行う場合には、第２の撮影モードにおいて、放射線検出器による最後の放射線の照射後の電荷の読み出しの終了時に消去光源を消灯状態とする第８の観点による放射線画像撮影装置が提供される。
【００２０】
本発明の第１０の観点によれば、制御部が、第１の撮影モードによる撮影を行った後に第２の撮影モードによる撮影を行う場合には、第１の撮影モードにおいて、放射線検出器による電荷の読み出しの終了時に消去光源を点灯状態とする第８の観点による放射線画像撮影装置が提供される。
【００２１】
本発明の第１１の観点によれば、第１の撮影モードによる撮影と第２の撮影モードによる撮影とを独立して行う第１乃至第７の観点による放射線画像撮影装置が提供される。
【００２２】
本発明の第１２の観点によれば、コンピュータを、第１乃至第１１のいずれかの観点による放射線画像撮影装置における制御部として機能させるためのプログラムが提供される。
【００２３】
本発明の第１３の観点によれば、被写体に向けて放射線を照射する放射線源と、放射線源から照射され被写体を透過した放射線に応じた電荷を発生させるセンサ部を有し、センサ部において生成された電荷を読み出して放射線画像の画像データを生成する放射線検出器と、センサ部に残留する電荷を消去するための消去光を放射線検出器に照射する消去光源と、を含む放射線画像撮影装置における消去光源の制御方法であって、放射線検出器が、第１の照射時間で放射線源から照射された放射線に基づいて放射線画像の画像データを生成する第１の撮影モードの場合には、少なくとも放射線の照射の開始から放射線検出器による電荷の読み出しの終了までの間、消去光源を消灯状態とし、放射線検出器が、第１の照射時間よりも照射時間の短い第２の照射時間で放射線源から複数回照射された放射線に基づいて複数の放射線画像の画像データを生成する第２の撮影モードの場合には、少なくとも最初の放射線の照射から最後の放射線の照射後の放射線検出器による電荷の読み出しの終了までの間、消去光源を点灯状態とする制御方法。
【発明の効果】
【００２４】
本発明によれば、放射線の照射時間が比較的短く且つ連続的に放射線画像を撮影する撮影モードと、放射線の照射時間が比較的長い撮影モードの両モードにおいて、従来よりも高画質の放射線画像を得ることができる。
【図面の簡単な説明】
【００２５】
【図１】本発明の実施形態に係るマンモグラフィ装置の構成を示す斜視図である。
【図２】本発明の実施形態に係るマンモグラフィ装置の断面図である。
【図３】本発明の実施形態に係るマンモグラフィ装置におけるトモシンセシス撮影機能を説明するための模式図である。
【図４】本発明の実施形態に係る放射線検出器の回路図である。
【図５】本発明の実施形態に係る放射線検出器の断面図である。
【図６】本発明の実施形態に係る放射線画像撮影装置のブロック図である。
【図７】本発明の実施形態に係る放射線画像撮影装置の各部の動作タイミングを示すタイミングチャートである。
【図８】本発明の実施形態に係る撮影制御プログラムにおける処理の流れを示すフローチャートである。
【図９】本発明の実施形態に係る撮影制御プログラムにおける処理の流れを示すフローチャートである。
【図１０】本発明の実施形態に係る放射線画像撮影装置の各部の動作タイミングを示すタイミングチャートである。
【図１１】本発明の実施形態に係る撮影制御プログラムにおける処理の流れを示すフローチャートである
【図１２】本発明の実施形態に係る撮影制御プログラムにおける処理の流れを示すフローチャートである。
【図１３】図１３（ａ）および図１３（ｂ）は、本発明の実施形態に係る放射線画像撮影装置の各部の動作タイミングを示すタイミングチャートである。
【図１４】本発明の実施形態に係る撮影制御プログラムにおける処理の流れを示すフローチャートである。
【図１５】本発明の実施形態に係る撮影制御プログラムにおける処理の流れを示すフローチャートである
【図１６】本発明の実施形態に係る放射線画像撮影装置の各部の動作タイミングを示すタイミングチャートである
【図１７】本発明の実施形態に係る撮影制御プログラムにおける処理の流れを示すフローチャートである。
【図１８】本発明の実施形態に係る撮影制御プログラムにおける処理の流れを示すフローチャートである。
【発明を実施するための形態】
【００２６】
以下、本発明の実施形態に係るマンモグラフィ装置について図面を参照しつつ説明する。なお、各図面において、同一の構成要素には同一の参照符号を付与している。
【００２７】
［第１の実施形態］
図１は、本発明の実施形態に係る放射線画像撮影装置１０の構成の一例を示す斜視図である。図２は、本発明の実施形態に係る放射線画像撮影装置１０の左右方向の中心線に沿った断面図である。なお、上下方向、左右方向、前後方向とは、被検者Ｐである患者から見た方向である。マンモグラフィ装置である放射線画像撮影装置１０は、基台部１２と、基台部１２に設けられたガイド部１３に沿って移動可能に設けられた回転軸１４と、回転軸１４に取り付けられた可動アーム部１６とを備えている。可動アーム部１６は、回転軸１４の移動により上下方向に移動可能に構成されるとともに、回転軸１４の回転により左回り及び右回りに回転可能に構成されている。
【００２８】
可動アーム部１６は、回転軸１４に固定された第１の回転部１８と、回転軸１４と切り離し可能に連結された第２の回転部２０とを備えている。第２の回転部２０は、第１の回転部１８よりも被検者Ｐ側に配置されている。回転軸１４は、第１の回転部１８の回転中心に固定されると共に、第２の回転部２０の回転中心に連結されている。回転軸１４と第２の回転部２０とは、例えば、双方にギアが設けられ、第２の回転部２０は、ギアが噛み合った状態で回転軸１４と連結され、ギアが噛み合っていない状態で回転軸１４から切り離される。
【００２９】
第１の回転部１８には、Ｌ字状をなす支持部２４の一端が固定されている。支持部２４の他端には、被検者Ｐの乳房Ｍに対し放射線（Ｘ線）を照射する放射線照射部２８が設けられている。放射線照射部２８は、Ｘ線管球を含む放射線源２６と、後述する主制御部５０からの指示に基づく管電圧値、管電流値、照射時間にて放射線を照射するように放射線源２６を駆動する放射線源駆動部２７（図６参照）と、を備えている。放射線源２６は、回転軸１４の回転により第１の回転部１８とともに回転軸１４の周りに回転する。
【００３０】
第２の回転部２０には、圧迫板４０を保持する第１の保持部３１が取り付けられている。圧迫板４０は、第１の保持部３１に取り付けられた支持機構４２により、上下方向に移動可能に支持されている。圧迫板４０が下降することで、被検者Ｐの乳房Ｍが圧迫されて、撮影面３２Ａと圧迫板４０との間に固定される。
【００３１】
第２の回転部２０には、撮影台３２を保持する第２の保持部３４が取り付けられている。また、第２の保持部３４には、取っ手４６が設けられている。撮影台３２は、被検者Ｐの乳房Ｍに当接される撮影面３２Ａを有している。撮影台３２の内部には、放射線検出器３６および消去光源３８が収納されている。
【００３２】
放射線検出器３６は、放射線源２６から照射され、乳房Ｍを透過した放射線を検出して放射線画像の画像データを生成する直接変換型のＦＰＤである。放射線検出器３６の詳細な構成については後述する。
【００３３】
消去光源３８は、放射線検出器３６に対して放射線の照射方向の後方に設けられ、後述する消去光源駆動部３９（図６参照）からの駆動信号に応じて放射線検出器３６の光導電部に残留する電荷を除去するための消去光を放射線検出器３６に照射する。消去光源３８は、例えば、光放出面が放射線検出器３６の検出面に対して平行に配置された導光板と、導光板の側面に設けられたＬＥＤ（Light Emitting Diode）等の光源と、を含んで構成されている。なお、消去光源は、ＬＥＤ等の複数の光源を２次元状に配置して構成されていてもよい。
【００３４】
撮影台３２に収納された放射線検出器３６および消去光源３８は、回転軸１４と第２の回転部２０とが連結された状態で、回転軸１４の回転により第２の回転部２０と共に回転軸１４の周りに回転する。一方、回転軸１４と第２の回転部２０とが切り離された状態では、回転軸１４が回転しても第２の回転部２０は回転せず、撮影台３２、放射線検出器３６及び消去光源３８も回転しない。即ち、放射線源２６は、放射線検出器３６および消去光源３８とは、独立に回転可能とされている。
【００３５】
本実施形態に係る放射線画像撮影装置１０は、上述した通り、放射線照射部２８及び放射線源２６を、撮影台３２及び放射線検出器３６とは独立に移動できる可動アーム部１６を備えている。従って、ＣＣ撮影（頭尾方向の撮影）、ＭＬＯ撮影（内外斜位方向の撮影）、トモシンセシス撮影を含む、種々の撮影モードでの撮影が可能である。
【００３６】
以下に、放射線画像撮影装置１０が有するトモシンセシス撮影機能について説明する。図３は、放射線画像撮影装置１０におけるトモシンセシス撮影機能を説明するための模式図である。トモシンセシス撮影によれば、被写体である乳房Ｍに向けて複数の方向から放射線を照射することによって取得された複数の投影画像を用いて乳房Ｍの断層画像を再構成することができる。
【００３７】
被検者Ｐの立位状態でのトモシンセシス撮影時には、撮影台３２の撮影面３２Ａが上方を向いた状態に固定しつつ可動アーム部１６を回転軸１４の周りに回転させることにより複数の照射角度で放射線源２６から放射線を照射する。
【００３８】
可動アーム部１６が回転軸１４の周りに回転することにより、放射線源２６は、図３に示すように、放射線検出器３６の上方において円弧を描くように移動する。例えば、正方向の回転の場合には、放射線源２６は、角度−Ｘ°から角度＋Ｘ°まで所定の間隔で右周りに回転する。なお、撮影台３２の撮影面３２Ａ（放射線検出器３６の検出面）に対して直交する方向を照射角度０°と定義する。
【００３９】
トモシンセシス撮影では、乳房Ｍを圧迫している状態で、可動アーム部１６を回転させることにより、放射線検出器３６に対する放射線源２６の角度位置を移動させ、乳房Ｍに対して複数の方向から放射線を照射して複数の投影画像を取得する。このようにして取得された複数の投影画像を再構成することにより断層画像が生成される。
【００４０】
次に、放射線検出器３６の構成について説明する。図４は、放射線検出器３６の回路図である。放射線検出器３６は、放射線の照射によって電荷を発生させるセンサ部１００と、センサ部１００において発生した電荷を蓄積するキャパシタ２１０と、キャパシタ２１０に蓄積された電荷を読み出すためのスイッチ素子（例えばＴＦＴ２０２）とを各々が含む、複数の画素２２０を有する。複数の画素２２０は、ガラス基板２３０上にマトリックス状に配置されている。センサ部１００の各々には、図示しない共通配線を介してバイアス電圧が印加されている。なお、放射線検出器３６の回路としては、スイッチ素子がＴＦＴ型の回路に限定されず、例えばＣＭＯＳ型を用いた回路でも構わない。
【００４１】
ガラス基板２３０上には、画素２２０の配列に沿った一定方向（行方向）に伸長し、各ＴＦＴ２０２をオンオフさせるためのゲート信号を各ＴＦＴ２０２に供給するための複数のゲート線３１０が設けられている。またガラス基板２３０上には、ゲート線３１０の伸長方向と交差する方向（列方向）に伸長し、オン状態のＴＦＴ２０２を介してキャパシタ２１０に蓄積された電荷を信号処理部３４０に伝送するための複数の信号線３２０が設けられている。画素２２０の各々は、ガラス基板２３０上において、ゲート線３１０と信号線３２０との各交差部に対応して設けられている。
【００４２】
ゲート線３１０の各々はゲート線ドライバ３３０に接続され、信号線３２０の各々は信号処理部３４０に接続されている。ＴＦＴ２０２は、ゲート線ドライバ３３０からゲート線３１０を介して供給されるゲート信号によりオン状態とされる。ＴＦＴ２０２がオン状態とされることによりセンサ部１００で生成されてキャパシタ２１０に蓄積された電荷が電気信号として各信号線３２０に読み出され、信号処理部３４０に伝送される。信号処理部３４０は、各信号線３２０を介して供給される電気信号を処理することによって放射線画像の画像データを生成する。
【００４３】
ＦＰＤ制御部３５０は、放射線画像撮影装置１０全体の動作を統括的に制御する後述する主制御部５０からの制御信号に基づいて、ゲート線ドライバ３３０および信号処理部３４０を制御する。ＦＰＤ制御部３５０は、ゲート線ドライバ３３０および信号処理部３４０に制御信号を供給することによってゲート線ドライバ３３０から出力されるゲート信号の出力タイミングを制御するとともに、信号処理部３４０における信号処理のタイミングを制御する。
【００４４】
図５は、放射線検出器３６の１画素分の構成を示す断面図である。放射線検出器３６は、ガラス基板２３０と、ガラス基板２３０上に形成されたＴＦＴ２０２およびキャパシタ２１０を含む電荷読み出し部２００と、電荷読み出し部２００上に設けられたセンサ部１００とを含む。
【００４５】
ＴＦＴ２０２は、ゲート電極２０３、ゲート絶縁膜２０４、半導体層２０５、ソース電極２０８およびドレイン電極２０６を含んで構成されている。ゲート電極２０３はゲート線３１０（図４参照）に接続され、ソース電極２０８は信号線３２０（図４参照）に接続され、ドレイン電極２０６はキャパシタ２１０の上部電極２１３に接続されている。キャパシタ２１０は、下部電極２１１、絶縁膜２１２および上部電極２１３を積層して構成されている。絶縁膜２１２はゲート絶縁膜２０４と一体的に形成され、上部電極２１３はドレイン電極２０６と一体的に形成されている。
【００４６】
ＴＦＴ２０２およびキャパシタ２１０を含む電荷読み出し部２００上には、層間絶縁膜２３２を介してセンサ部１００が設けられている。センサ部１００は、バイアス電極１０１、電子輸送層１０２、光導電層１０３、正孔輸送層１０４および電荷収集電極１０５を含んで構成されている。
【００４７】
光導電層１０３は、Ｘ線が照射されることにより電荷を発生させる。光導電層１０３としては、例えば、暗抵抗が高く、Ｘ線に対して良好な電磁波導電性を示し、真空蒸着法により低温で大面積成膜が可能なアモルファスセレン（a-Se）を好適に用いることができる。
【００４８】
光導電層１０３上には、電子に対しては導電体でありながら正孔の注入を阻止する電子輸送層１０２が設けられている。電子輸送層１０２としては、例えばＣｅＯ２、ＺｎＳ、Ｓｂ２Ｓ３等を好適に用いることができる。
【００４９】
電子輸送層１０２上には、光導電層１０３へバイアス電圧を印加するためのバイアス電極１０１が設けられている。バイアス電極１０１には、例えば、金（Ａｕ）等を用いることが可能である。本実施形態において、バイアス電極１０１には正電圧が印加される。
【００５０】
光導電層１０３の下方には、正孔に対しては導電体でありながら電子の注入を阻止する正孔輸送層１０４が設けられている。正孔輸送層１０４としては、例えばＳｂ２Ｓ３、ＣｄＳ、ＴｅをドープしたＳｅ、ＣｄＴｅ等を好適に用いることができる。
【００５１】
正孔輸送層１０４の下方には、画素毎に分割された電荷収集電極１０５が設けられている。電荷収集電極１０５としては、ＩＴＯ（Indium-Tin-Oxide）や、ＩＺＯ（Indium-Zinc-Oxide）等の光透過性を有する導電体を好適に用いることができる。電荷収集電極１０５は、層間絶縁膜２３２に形成されたコンタクトホールを介してキャパシタ２１０の上部電極２１３に接続されている。
【００５２】
上記した直接変換型の構成を有する放射線検出器３６において、バイアス電極１０１を介してバイアス電圧が印加された光導電層１０３にＸ線が入射すると、Ｘ線が光導電層１０３内で吸収されて電子および正孔が生成される。生成された電子および正孔は光導電層１０３内部に生じている電界に沿って輸送される。正孔は電界によって電荷収集電極１０５に収集され、キャパシタ２１０に蓄積される。
【００５３】
ゲート線ドライバ３３０からゲート線３１０を介して供給されるゲート信号によりＴＦＴ２０２がオン状態とされると、キャパシタ２１０に蓄積された電荷は各信号線３２０に読み出され、信号処理部３４０に伝送される。信号処理部３４０は、各信号線３２０を介して供給される電気信号に基づいて放射線画像を生成する。
【００５４】
図５には、放射線検出器３６とともに消去光源３８が示されている。消去光源３８は、放射線検出器３６のガラス基板２３０側に配置されている。消去光源３８から照射された消去光は、ガラス基板２３０、電荷読み出し部２００および層間絶縁膜２３２を介して光導電層１０３に照射される。消去光が光導電層１０３に照射されることによって光導電層１０３において光電荷が発生する。光電荷は、光導電層１０３内部に生じている電界に沿って移動する際に光導電層１０３内部に残留する残留電荷を消滅させる。これにより、残留電荷に起因する残像が消去される。
【００５５】
図６は、放射線画像撮影装置１０の制御構成を示すブロック図である。放射線画像撮影装置１０は、放射線源２６および放射線源駆動部２７を含む放射線照射部２８、放射線検出器３６、消去光源３８、消去光源駆動部３９および操作パネル４８を備えている。また、放射線画像撮影装置１０は、装置全体の動作を統括的に制御する主制御部５０と、撮影時に回転軸１４、可動アーム部１６及び圧迫板４０等の可動部を駆動する可動部駆動機構６０と、ＬＡＮ（Local Area Network）等のネットワークに接続され当該ネットワークに接続された他の機器との間で各種情報を送受信する通信インターフェース部６２と、を備えている。
【００５６】
主制御部５０は、ＣＰＵ（Central Processing Unit）５０Ａ、ＲＯＭ（Read Only Memory）５０Ｂ、ＲＡＭ（Random Access Memory）５０Ｃ、ＨＤＤ（Hard Disk Drive）等の不揮発性の外部記憶装置５０Ｄを備えている。主制御部５０は、放射線照射部２８、放射線検出器３６、消去光源駆動部３９、操作パネル４８、可動部駆動機構６０及び通信インターフェース部６２の各々と接続されている。ＲＯＭ５０Ｂには、ＣＰＵ５０Ａが実行する各種プログラムや各種データ等が記憶されている。
【００５７】
放射線源駆動部２７、放射線検出器３６、消去光源駆動部３９および可動部駆動機構６０は、主制御部５０から供給される制御信号に基づいて動作する。すなわち、放射線源駆動部２７は、主制御部５０から供給される制御信号に基づいて、所定の管電圧値、管電流値および照射時間にて放射線を照射するように放射線源２６を駆動する。放射線検出器３６のＦＰＤ制御部３５０は、主制御部５０から供給される制御信号に基づいてゲート線ドライバ３３０および信号処理部３４０を制御して、センサ部１００において生じた電荷の蓄積および読み出しのタイミングを制御する。消去光源駆動部３９は、主制御部５０から供給される制御信号に基づいて消去光源３８の点灯および消灯のタイミングを制御する。可動部駆動機構６０は、主制御部５０から供給される制御信号に基づいて回転軸１４、可動アーム部１６及び圧迫板４０等の可動部を駆動する。
【００５８】
操作パネル４８はユーザの入力操作に応じて選択された撮影モードを示す情報などを主制御部５０に通知する。なお、操作パネル４８は、放射線画像撮影装置１０の一部として設けられていてもよく、放射線画像撮影装置１０とは別体の操作卓において放射線画像撮影装置１０と通信可能に設けられていてもよい。
【００５９】
以下に、本発明の実施形態に係る放射線画像撮影装置１０における放射線画像撮影時の動作について説明する。以下の説明では、互いに異なる複数の照射角度で放射線を連続的に照射して複数の放射線画像を取得するトモシンセシス撮影を行い、トモシンセシス撮影の後、所定の照射角度で放射線を照射して放射線画像を取得する２Ｄ（二次元）撮影を行う撮影シーケンスによって一連の放射線画像を取得する場合を例示する。
【００６０】
図７は、初めにトモシンセシス撮影を行い、トモシンセシス撮影後に２Ｄ撮影を行う場合の放射線画像撮影装置１０の各部の動作タイミングを示すタイミングチャートである。図７において、放射線源２６から照射される放射線の照射タイミング、放射線検出器３６の動作モード、消去光源３８の点灯および消灯のタイミングが示されている。また、図７上段の放射線の照射タイミングを示すチャートにおいてハイレベルは放射線の照射に対応し、ローレベルは放射線の非照射に対応する。図７下段の消去光源の点灯および消灯のタイミングを示すチャートにおいてハイレベルは消去光の点灯に対応し、ローレベルは消去光の消灯に対応する（図１０、図１３および図１６において同じ）。
【００６１】
トモシンセシス撮影において最初の放射線の照射（第１ショット）が開始される前の期間において、放射線検出器３６は各画素２２０のリセットを行う。リセットとは、暗電流によって放射線検出器３６のキャパシタ２１０に蓄積された電荷を、ＴＦＴ２０２をオンさせることによって信号線３２０に排出する処理をいう。リセットモードにおいて、放射線検出器３６は、ゲート線ドライバ３３０から各ゲート線３１０に順次ゲート信号を出力して各ゲート線３１０に接続されたＴＦＴ２０２を順次オン状態とすることによってキャパシタ２１０に蓄積された電荷を排出する。放射線検出器３６は、第１ショットの開始前にリセットモードを停止させる。
【００６２】
また、第１ショットが開始される前のタイミングで、消去光源３８は点灯状態に移行する。本実施形態において、消去光源３８の点灯が開始されてから第１ショットが開始されるまでの期間ｔ１として１ｓｅｃ以上の時間が確保されている。消去光源３８は、トモシンセシス撮影期間中（最終ショットにおける電荷の読み出しの終了まで）、点灯状態を維持する。
【００６３】
第１ショットが行われるタイミングで、放射線検出器３６は、放射線の照射に伴ってセンサ部１００で発生した電荷を各画素２２０のキャパシタ２１０に蓄積する蓄積モードに移行する。蓄積モードにおいて、放射線検出器３６は、各画素２２０のＴＦＴ２０２をオフ状態とする。なお、本実施形態において、トモシンセシス撮影における放射線の１回の照射時間（放射線検出器３６における電荷蓄積時間）は１００ｍｓｅｃ程度である。放射線の照射時間は被写体に応じて適宜設定することが可能である。
【００６４】
放射線の第１ショットが終了するタイミングで、放射線検出器３６は、各画素２２０のキャパシタ２１０に蓄積された電荷の読み出しを行う読み出しモードに移行する。読み出しモードにおいて、放射線検出器３６は、ゲート線ドライバ３３０から各ゲート線３１０に順次ゲート信号を出力して各ゲート線３１０に接続されたＴＦＴ２０２を順次オン状態とする。これにより、キャパシタ２１０に蓄積された電荷が信号線３２０に読み出される。読み出された電荷は、信号処理部３４０に供給され、当該照射角度に対応する放射線画像の画像データが生成される。
【００６５】
第１ショット後の電荷の読み出しが完了すると、第１ショットとは異なる照射角度で、放射線の２回目の照射（第２ショット）が行われる。放射線検出器３６は、第１ショットの場合と同様、放射線の照射開始のタイミングで蓄積モードに移行し、放射線の照射終了のタイミングで読み出しモードに移行する。その後、放射線の照射角度を順次変化させながら、複数回に亘り放射線の照射が行われ、放射線検出器３６は放射線の照射タイミングに合わせて電荷の蓄積と読み出しを繰り返す。
【００６６】
トモシンセシス撮影における最後の放射線の照射（最終ショット）が行われ、最終ショット後の電荷の読み出しが完了するタイミングで消去光源３８は消灯状態に移行する。すなわち、消去光源３８は、第１ショットの開始前から最終ショット後の電荷の読み出しが終了するまでの期間に亘り点灯状態を維持する。これにより、各ショットにおいてセンサ部１００に生じる残留電荷の消滅が促進され、各ショットにおける残像が消去される。
【００６７】
トモシンセシス撮影が終了すると、放射線検出器３６は、リセットモードに移行し、各ゲート線３１０に接続されたＴＦＴ２０２を順次オン状態とすることによってキャパシタ２１０に蓄積された電荷を排出する。なお、本実施形態では、トモシンセシス撮影における最終ショット後の電荷の読み出しが完了するタイミングで消去光源３８を消灯状態に移行する場合を例示しているが、トモシンセシス撮影終了後のリセット期間中に消去光源３８を消灯状態に移行してもよい。
【００６８】
放射線検出器３６において各画素２２０のリセットが完了すると２Ｄ撮影に移行する。放射線検出器３６は、２Ｄ撮影のための放射線の照射が行われるタイミングで蓄積モードに移行する。本実施形態において、トモシンセシス撮影の終了に伴って消去光源３８が消灯状態に移行してから２Ｄ撮影のための放射線の照射が開始されるまでの期間ｔ２として１ｓｅｃ以上の時間が確保されている。本実施形態において、２Ｄ撮影における放射線の１回の照射時間（放射線検出器３６における電荷蓄積時間）は、トモシンセシス撮影時における照射時間よりも長く、１〜６ｓｅｃ程度である。放射線の照射時間は、被写体に応じて適宜設定することが可能である。放射線検出器３６が２Ｄ撮影のための電荷の蓄積を行っている間、消去光源３８は消灯状態を維持する。
【００６９】
２Ｄ撮影のための放射線の照射が終了するタイミングで、放射線検出器３６は読み出しモードに移行する。これにより２Ｄ撮影による放射線画像の画像データが生成される。
放射線検出器３６が電荷の読み出しを行っている間、消去光源３８は消灯状態を維持する。
【００７０】
放射線検出器３６は、電荷の読み出しが完了するとリセットモードに移行し、各ゲート線３１０に接続されたＴＦＴ２０２を順次オン状態とすることによってキャパシタ２１０に蓄積された電荷を排出する。また、電荷の読み出しが完了するタイミングで消去光源３８は点灯状態に移行する。消去光源３８は、２Ｄ撮影による残像を消去するために十分な期間ｔ３（例えば５ｓｅｃ）に亘り点灯状態を維持し、その後消灯状態となる。
【００７１】
このように、本実施形態に係る放射線画像撮影装置１０においては、トモシンセシス撮影モードにおいて放射線の照射角度を切り替えながら複数の放射線画像を連続的に取得している間、消去光源３８は点灯状態を維持する。これにより、各放射線画像の撮影において生じる残像を消去することができる。トモシンセシス撮影では、放射線の１回の照射時間が１００ｍｓｅｃ程度と２Ｄ撮影の場合（１〜６ｓｅｃ程度）よりも大幅に短いので、消去光を照射した状態で撮影を行っても画像にムラが生じにくい。
【００７２】
また、複数回に亘る放射線の照射のタイミングに合わせて消去光の点灯および消灯を切り替えることはしないので、放射線検出器３６におけるオフセット変動を防止することができる。
【００７３】
また、トモシンセシス撮影の開始前に消去光源３８が点灯状態に移行するので、トモシンセシス撮影の開始時点において、放射線検出器３６のセンサ部１００内の電荷を定常状態とすることができる。消去光源３８が点灯状態または消灯状態に移行してから光導電層１０３内における電荷が定常状態となるまでには、ある程度の時間を要する。本実施形態においては、消去光源３８が点灯状態となってから第１ショットが行われまでの期間ｔ１として１ｓｅｃ以上の時間が確保されているので、蓄積モード移行時において放射線検出器３６のセンサ部１００内の電荷を定常状態とすることができる。これにより、オフセット変動をさらに効果的に防止することができる。なお、トモシンセシス撮影の開始前に消去光源３８を点灯状態に移行すればオフセット変動の抑制の効果が生じるので、期間ｔ１として１ｓｅｃよりも短い期間または長い期間を設定してもよい。
【００７４】
一方、２Ｄ撮影では、放射線の照射時間が１〜６ｓｅｃ程度と比較的長く、２Ｄ撮影中に消去光を放射線検出器３６に照射すると画像にムラが発生するおそれがある。本実施形態に係る放射線画像撮影装置１０においては、２Ｄ撮影のための放射線の照射が行われ、放射線検出器３６において電荷の蓄積および読み出しを行っている間、消去光源３８は消灯状態を維持するので、２Ｄ撮影によって取得される放射線画像においてムラの発生を防止することができる。
【００７５】
また、２Ｄ撮影が開始される前に消去光源３８が消灯状態に移行するので、２Ｄ撮影の開始時点において、放射線検出器３６のセンサ部１００内の電荷を定常状態とすることができる。本実施形態においては、トモシンセシス撮影の終了後、消去光源３８が消灯状態に移行してから２Ｄ撮影が開始されるまでの期間ｔ２として１ｓｅｃ以上の時間が確保されている。これにより、２Ｄ撮影における蓄積モード移行時に放射線検出器３６のセンサ部１００内の電荷を定常状態とすることができ、２Ｄ撮影においてオフセット変動を防止することができる。なお、２Ｄ撮影の開始前に消去光源３８を消灯状態に移行すればオフセット変動の抑制の効果が生じるので、期間ｔ２として１ｓｅｃよりも短い期間または長い期間を設定してもよく、トモシンセシス撮影モードから２Ｄ撮影モードへの移行期間等を勘案して適宜変更することが可能である。本実施形態のように、トモシンセシス撮影における最終ショット後の電荷の読み出しが完了した時点で消去光源３８を消灯状態に移行することで、期間ｔ２を最大とすることができる。
【００７６】
また、２Ｄ撮影における電荷の読み出しの終了後、消去光源３８が点灯状態となる期間ｔ３として５ｓｅｃ程度の時間が確保されているので、確実に残像を消去することが可能である。なお、期間ｔ３として残像を消去するのに十分な時間が確保されていればよく５ｓｅｃよりも短い時間または長い時間を設定してもよい。また、２Ｄ撮影後にセンサ部１００に残留する残留電荷を自然消滅させるのに十分な時間が確保されている場合には、２Ｄ撮影後における消去光源３８の点灯を省略してもよい。
【００７７】
図８および図９は、主制御部５０を構成するＣＰＵ５０Ａが実行する撮影制御プログラムにおける処理の流れを示すフローチャートである。撮影制御プログラムは、ＲＯＭ５０Ｂに格納されている。図８および図９に示すフローチャートは、図７に示すタイミングチャートに対応するものである。なお、撮影制御プログラムの実行開始時点において、消去光源３８は消灯状態であるものとする。
【００７８】
ステップＳ１１においてＣＰＵ５０Ａは、撮影モード選択指示の受信待ちを行う。ユーザは、操作パネル４８を操作することによって、撮影モードの選択を行うことが可能である。ここでは、複数の方向から放射線を連続的に照射して複数の放射線画像を取得するトモシンセシス撮影の後に一方向のみから放射線を照射して単一の放射線画像を取得する２Ｄ撮影を行う撮影モードが選択されたものとする。ＣＰＵ５０Ａは、撮影モードの選択指示を操作パネル４８から受信すると処理をステップＳ１２に移行する。
【００７９】
ステップＳ１２において撮影台に対する乳房Ｍのポジショニングが行われる。
【００８０】
ステップＳ１３においてＣＰＵ５０Ａは、トモシンセシス撮影の開始の指示がなされたか否かを判定する。ユーザが撮影ボタン（図示せず）を操作する等してトモシンセシス撮影の開始を指示すると、処理はステップＳ１４に移行する。
【００８１】
ステップＳ１４において、ＣＰＵ５０Ａは、可動部駆動機構６０に対して可動アーム部１６の回転角度位置を初期位置に移動させる制御信号を送信する。ＣＵＰ５０Ａからの制御信号を受信した可動部駆動機構６０は、例えば、可動アーム部１６を傾きの最も大きい回転角度位置（図３に示す−Ｘ°の位置）に移動させる。
【００８２】
ステップＳ１５においてＣＰＵ５０Ａは、消去光源駆動部３９に対して消去光の点灯を開始させる制御信号を送信する。ＣＰＵ５０Ａからの制御信号を受信した消去光源駆動部３９は、消去光源３８に駆動信号を供給して消去光源３８を点灯状態とする。これにより、放射線検出器３６に消去光が照射される。
【００８３】
ステップＳ１６においてＣＰＵ５０Ａは、放射線検出器３６のＦＰＤ制御部３５０に放射線の照射準備が完了した旨の通知を行う。放射線検出器３６のＦＰＤ制御部３５０は、ＣＵＰ５０Ａから放射線の照射準備が完了した旨の通知を受信すると、画素２２０の各々のキャパシタ２１０に蓄積された電荷を除去するリセットモードから蓄積モードに移行する。
【００８４】
ステップＳ１７においてＣＰＵ５０Ａは、放射線源駆動部２７に対してトモシンセシス撮影のための放射線の照射を開始させる制御信号を供給する。ＣＵＰ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は１００ｍｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【００８５】
ステップＳ１８においてＣＰＵ５０Ａは、放射線検出器３６からの画像データの受信待ちを行い、放射線検出器３６から画像データを受信すると処理をステップＳ１９に移行する。ステップＳ１９において、ＣＰＵ５０Ａは、取得した画像データを外部記憶装置５０Ｄに記憶する。
【００８６】
ステップＳ２０においてＣＰＵ５０Ａは、可動アーム部１６の回転角度位置が最終位置（本実施形態では、＋Ｘ°の位置）にあるか否かを判定し、最終位置にないものと判定した場合には処理をステップＳ２１に移行し、最終位置にあるものと判定した場合には処理をステップＳ２２に移行する。
【００８７】
ステップＳ２１においてＣＰＵ５０Ａは、可動アーム部１６の回転角度位置を１段階だけ正方向に移動させる制御信号を可動部駆動機構６０に送信する。ＣＰＵ５０Ａからの制御信号を受信した可動部駆動機構６０は、可動アーム部１６の回転角度位置を１段階だけ正方向に移動させる。可動アーム部１６の移動が完了すると、ＣＰＵ５０Ａは、ステップＳ１７からステップＳ２１までの処理を繰り返し実行する。これにより、可動アーム部１６が−Ｘ°から＋Ｘ°まで移動する間に複数回に亘り放射線の照射が行われ、可動アーム部１６の各角度位置毎に画像データが取得され、取得された画像データの各々が外部記憶装置５０Ｄに記憶される。
【００８８】
ステップＳ２２においてＣＰＵ５０Ａは、消去光源駆動部３９に消去光を消灯させる制御信号を送信する。ＣＰＵ５０Ａからの制御信号を受信した消去光源駆動部３９は消去光源３８を消灯状態とする。以上の各処理を経てトモシンセシス撮影が終了し、２Ｄ撮影に移行する。
【００８９】
ステップＳ２３においてＣＰＵ５０Ａは、可動部駆動機構６０に対して可動アーム部１６の回転角度位置を２Ｄ撮影を行うための所定位置に移動させる制御信号を送信する。ＣＰＵ５０Ａからの制御信号を受信した可動部駆動機構６０は、可動アーム部１６を２Ｄ撮影を行うための所定位置に移動させる。２Ｄ撮影における可動アーム部１６の角度位置として、放射線の照射方向が放射線検出器３６の検出面に対して直交する角度位置とすることができる。なお、トモシンセシス撮影における最終ショット時の角度位置にて２Ｄ撮影を行ってもよい。この場合、本ステップにおける処理を省略することができる。
【００９０】
ステップＳ２４においてＣＰＵ５０Ａは、放射線検出器３６のＦＰＤ制御部３５０に２Ｄ撮影のための放射線の照射準備が完了した旨の通知を行う。放射線検出器３６のＦＰＤ制御部３５０は、ＣＰＵ５０Ａから放射線の照射準備が完了した旨の通知を受信すると画素２２０の各々のキャパシタ２１０に蓄積された電荷を除去するリセットモードから蓄積モードに移行する。
【００９１】
ステップＳ２５においてＣＰＵ５０Ａは、放射線源駆動部２７に対して２Ｄ撮影のための放射線の照射を開始させる制御信号を送信する。ＣＰＵ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は、トモシンセシス撮影時における照射時間よりも長く、１〜６ｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【００９２】
ステップＳ２６においてＣＰＵ５０Ａは、放射線検出器３６からの画像データの受信待ちを行い、放射線検出器３６から画像データを受信すると処理をステップＳ２７に移行する。ステップＳ２７において、ＣＰＵ５０Ａは、取得した画像データを外部記憶装置５０Ｄに記憶する。
【００９３】
ステップＳ２８においてＣＰＵ５０Ａは、放射線検出器３６のＦＰＤ制御部３５０に２Ｄ撮影による放射線画像の画像データを適正に受信した旨の通知を行う。放射線検出器３６のＦＰＤ制御部３５０は、ＣＰＵ５０Ａから画像データが適正に受信された旨の通知を受信すると、画素２２０の各々のキャパシタ２１０に蓄積された電荷を除去するリセットモードに移行する。
【００９４】
ステップＳ２９においてＣＰＵ５０Ａは、消去光源駆動部３９に消去光の点灯を開始させる制御信号を送信する。ＣＰＵ５０Ａからの制御信号を受信した消去光源駆動部３９は消去光源３８に駆動信号を供給して消去光源３８を点灯状態とする。これにより、放射線検出器３６に消去光が照射され、放射線検出器３６のセンサ部１００に残留する残留電荷の消滅が促進され、残像が消去される。
【００９５】
ステップＳ３０においてＣＰＵ５０Ａは、消去光源３８が点灯状態に移行してから所定時間（例えば５ｓｅｃ）が経過した否か判定し、所定時間が経過したと判定した場合には処理をステップＳ３１に移行する。上記所定時間として、放射線検出器３６のセンサ部１００に残留する電荷を消滅させるのに十分な時間を適宜設定することが可能である。
【００９６】
ステップＳ３１においてＣＰＵ５０Ａは、消去光源駆動部３９に消去光を消灯させる制御信号を送信する。ＣＰＵ５０Ａからの制御信号を受信した消去光源駆動部３９は消去光源３８を消灯状態とする。以上の各処理を経て本ルーチンが終了する。
【００９７】
以上の説明から明らかなように、本発明の実施形態に係る放射線画像撮影装置１０は、照射角度を変化させながら比較的短い照射時間に亘り放射線を連続的に照射して複数の放射線画像を取得するトモシンセシス撮影を行う場合には、複数の放射線画像を取得する間、消去光源３８を継続して点灯させる。このように、複数の放射線画像の撮影タイミングに合わせて消去光の点灯および消灯の切り替えを行うことなくトモシンセシス撮影の開始から終了までの期間に亘り消去光の点灯を維持することで、放射線検出器３６におけるオフセット変動を防止することが可能となる。また、トモシンセシス撮影期間中に消去光の点灯を維持することで、各放射線画像の撮影によって放射線検出器３６のセンサ部１００における残留電荷の消滅を促進させることができ、残像の発生を抑制することができる。トモシンセシス撮影においては、放射線の１回の照射時間は１００ｍｓｅｃ程度と比較的短いので、放射線画像の撮影時（蓄積モード時および読み出しモード時）に消去光を点灯させたとしても当該放射線画像において顕著なムラが発生することはなく、実質的に問題となることはない。
【００９８】
一方、放射線画像撮影装置１０は、トモシンセシス撮影時における照射時間よりも長い時間に亘り所定の照射角度で放射線を照射して放射線画像を取得する２Ｄ撮影を行う場合には、放射線画像を取得する間、消去光源３８を消灯させる。これにより、取得される放射線画像においてムラの発生を防止することができる。消去光源３８は、２Ｄ撮影の終了後（電荷の読み出し後）に点灯状態とされる。これにより、放射線検出器３６のセンサ部１００における残留電荷の消滅が促進され、残像が消去される。
【００９９】
このように、本発明の第１の実施形態に係る放射線画像撮影装置によれば、放射線の照射時間が比較的短く且つ連続的に放射線画像を撮影するトモシンセシス撮影モードと、放射線の照射時間が比較的長い２Ｄ撮影モードの両モードにおいて、従来よりも高画質の放射線画像を得ることができる。
【０１００】
［第２の実施形態］
以下に、本発明の第２の実施形態について説明する。第１の実施形態では、互いに異なる照射角度で放射線を連続的に照射して複数の放射線画像を取得するトモシンセシス撮影を行い、トモシンセシス撮影の後に所定の照射角度で放射線を照射して放射線画像を取得する２Ｄ撮影を行う撮影シーケンスによって一連の放射線画像を取得する場合を例示した。これに対して、第２の実施形態に係る放射線画像撮影装置１０は、初めに２Ｄ撮影を行い、２Ｄ撮影の後にトモシンセシス撮影を行う撮影シーケンスによって一連の放射線画像を取得する。
【０１０１】
図１０は、２Ｄ撮影後にトモシンセシス撮影を行う場合における放射線画像撮影装置１０の各部の動作タイミングを示すタイミングチャートである。
【０１０２】
２Ｄ撮影のための放射線の照射が開始される前の期間においては、放射線検出器３６は、各画素２２０のリセットを行うリセットモードとなる。放射線検出器３６は、２Ｄ撮影のための放射線の照射の開始前にリセットモードを停止させる。また、２Ｄ撮影のための放射線の照射が開始される前の段階から消去光源３８は消灯状態とされる。
【０１０３】
放射線検出器３６において各画素２２０のリセットが完了すると２Ｄ撮影が開始される。２Ｄ撮影のための放射線の照射が行われるタイミングで放射線検出器３６は、蓄積モードに移行する。また、本実施形態において、２Ｄ撮影における放射線の１回の照射時間（放射線検出器３６における電荷蓄積時間）は１〜６ｓｅｃ程度である。蓄積期間中、消去光源３８は消灯状態を維持する。
【０１０４】
２Ｄ撮影のための放射線の照射が終了するタイミングで、放射線検出器３６は、読み出しモードに移行する。読み出された電荷は、信号処理部３４０に供給され、２Ｄ撮影に基づく放射線画像の画像データが生成される。２Ｄ撮影における電荷の読み出し期間中、消去光源３８は消灯状態を維持する。
【０１０５】
放射線検出器３６は、電荷の読み出しが完了するとリセットモードに移行し、各ゲート線３１０に接続されたＴＦＴ２０２を順次オン状態とすることによってキャパシタ２１０に蓄積された電荷を排出する。また、電荷の読み出しが完了するタイミングで消去光源３８は点灯状態に移行する。消去光源３８を点灯状態とすることで２Ｄ撮影による残像が消去される。２Ｄ撮影による残像を確実に消去するとともに２Ｄ撮影に引き続いて実施されるトモシンセシス撮影においてオフセット変動が生じないようにするために、トモシンセシス撮影に移行する前に、可能な限り長い時間に亘り消去光源３８を点灯させることが好ましい。本実施形態において、消去光源３８の点灯が開始されてからトモシンセシス撮影における最初の放射線の照射（第１ショット）が開始されるまでの期間ｔ４として１ｓｅｃ以上の時間が確保されている。本実施形態では、２Ｄ撮影における電荷の読み出しが完了した時点で消去光源３８を点灯状態に移行させることにより期間ｔ４を最大としている。なお、２Ｄ撮影終了後のリセット期間中に消去光源３８を点灯状態に移行してもよい。
【０１０６】
放射線検出器３６において各画素２２０のリセットが完了すると、トモシンセシス撮影に移行する。トモシンセシス撮影において最初の放射線の照射（第１ショット）が行われるタイミングで放射線検出器３６は、蓄積モードに移行する。なお、本実施形態において、トモシンセシス撮影における放射線の１回の照射時間は１００ｍｓｅｃ程度である。
【０１０７】
第１ショットが終了するタイミングで、放射線検出器３６は、読み出しモードに移行する。読み出された電荷は、信号処理部３４０に供給され、当該照射角度に対応する放射線画像の画像データが生成される。
【０１０８】
第１ショット後の電荷の読み出しが完了すると、第１ショットとは異なる照射角度で、放射線の２回目の照射（第２ショット）が行われる。放射線検出器３６は、第１ショットの場合と同様、放射線の照射開始のタイミングで蓄積モードに移行し、放射線の照射終了のタイミングで読み出しモードに移行する。その後、放射線の照射角度を順次変化させながら、複数回に亘り放射線の照射が行われ、放射線検出器３６は放射線の照射タイミングに合わせて電荷の蓄積と読み出しを繰り返す。
【０１０９】
放射線検出器３６は、最終ショット後の電荷の読み出しが完了するとリセットモードに移行する。また、最終ショット後の電荷の読み出しの完了後、期間ｔ５が経過するタイミングで消去光源３８は消灯状態に移行する。本実施形態において、期間ｔ５は、５ｓｅｃ程度とされており、トモシンセシス撮影による残像を消去するために十分な期間が確保されている。
【０１１０】
このように、本実施形態に係る放射線画像撮影装置１０においては、第１の実施形態と同様、トモシンセシス撮影において放射線の照射角度を切り替えながら複数の放射線画像を取得している間、消去光源３８は点灯状態を維持する。これにより、各放射線画像の撮影において生じる残像を消去することができる。トモシンセシス撮影では、放射線の１回の照射時間が１００ｍｓｅｃ程度と２Ｄ撮影の場合（１〜６ｓｅｃ程度）よりも大幅に短いので、消去光を照射した状態で撮影を行っても画像にムラが生じにくい。
【０１１１】
また、複数回に亘る放射線の照射のタイミングに合わせて消去光の点灯および消灯を切り替えることはしないので、放射線検出器３６におけるオフセット変動を防止することができる。
【０１１２】
また、トモシンセシス撮影の開始前に消去光源３８が点灯状態に移行するので、トモシンセシス撮影の開始時点において、放射線検出器３６のセンサ部１００内の電荷を定常状態とすることができる。消去光源３８が点灯状態または消灯状態に移行してから光導電層１０３内における電荷が定常状態となるまでには、ある程度の時間を要する。本実施形態においては、消去光源３８が点灯状態となってからトモシンセシス撮影における第１ショットが行われまでの期間ｔ４として１ｓｅｃ以上の時間が確保されているので、蓄積モード移行時において放射線検出器３６のセンサ部１００内の電荷を定常状態とすることができ、オフセット変動をさらに効果的に防止することができる。なお、トモシンセシス撮影の開始前に消去光源３８を点灯状態に移行すればオフセット変動の抑制の効果が生じるので、期間ｔ４として１ｓｅｃよりも短い期間または長い期間を設定することが可能であり、２Ｄ撮影モードからトモシンセシス撮影モードへの移行期間等を勘案して適宜変更することが可能である。本実施形態のように、２Ｄ撮影における電荷の読み出しが完了した時点で消去光源３８を点灯状態に移行することで、期間ｔ４を最大とすることができる。
【０１１３】
また、トモシンセシス撮影における最終ショット後の電荷の読み出しの終了後、消去光源３８が消灯状態に移行するまでの期間ｔ５として５ｓｅｃ程度の時間が確保されているので、確実に残像を消去することが可能である。なお、期間ｔ５として残像を消去するのに十分な時間が確保されていればよく５ｓｅｃよりも短い時間または長い時間を設定してもよい。
【０１１４】
一方、２Ｄ撮影では、放射線の照射時間が１〜６ｓｅｃ程度と比較的長く、撮影期間中に消去光を放射線検出器３６に照射すると画像にムラが発生するおそれがある。本実施形態に係る放射線画像撮影装置１０においては、２Ｄ撮影のための放射線の照射が行われ、放射線検出器３６において電荷の蓄積および読み出しを行っている間、消去光源３８は消灯状態を維持するので、取得される放射線画像においてムラの発生を防止することができる。
【０１１５】
図１１および図１２は、主制御部５０を構成するＣＰＵ５０Ａが実行する第２の実施形態に係る撮影制御プログラムにおける処理の流れを示すフローチャートである。撮影制御プログラムは、ＲＯＭ５０Ｂに格納されている。図１１および図１２に示すフローチャートは、図１０に示すタイミングチャートに対応するものである。なお、撮影制御プログラムの実行開始時点において、消去光源３８は消灯状態であるものとする。
【０１１６】
ステップＳ４１においてＣＰＵ５０Ａは、撮影モード選択指示の受信待ちを行う。ユーザは、操作パネル４８を操作することによって、撮影モードの選択を行うことが可能である。ここでは、一方向のみから放射線を照射して放射線画像を取得する２Ｄ撮影の後に複数の方向から放射線を照射して複数の放射線画像を取得するトモシンセシス撮影を行う撮影モードが選択されたものとする。ＣＰＵ５０Ａは、撮影モードの選択指示を操作パネル４８から受信すると処理をステップＳ４２に移行する。
【０１１７】
ステップＳ４２においてＣＰＵ５０Ａは、可動部駆動機構６０に対して可動アーム部１６の回転角度位置を２Ｄ撮影を行うための所定位置に移動させる制御信号を送信する。ＣＰＵ５０Ａからの制御信号を受信した可動部駆動機構６０は、例えば、放射線の照射方向が放射線検出器３６の検出面に対して直交するように（すなわち照射角度０°となるように）可動アーム部１６を移動させる。なお、２Ｄ撮影を行う場合の放射線の照射方向を、トモシンセシス撮影における第１ショット時の照射方向と同一としてもよい。
【０１１８】
ステップＳ４３において撮影台に対する乳房Ｍのポジショニングが行われる。
【０１１９】
ステップＳ４４においてＣＰＵ５０Ａは、２Ｄ撮影の開始の指示がなされたか否かを判定する。ユーザが撮影ボタン（図示せず）を操作する等して２Ｄ撮影の開始を指示すると、処理はステップＳ４５に移行する。
【０１２０】
ステップＳ４５においてＣＰＵ５０Ａは、放射線検出器３６のＦＰＤ制御部３５０に放射線の照射準備が完了した旨の通知を行う。放射線検出器３６のＦＰＤ制御部３５０は、放射線の照射準備が完了した旨の通知を受信すると、画素２２０の各々のキャパシタ２１０に蓄積された電荷を除去するリセットモードから蓄積モードに移行する。
【０１２１】
ステップＳ４６においてＣＰＵ５０Ａは、放射線源駆動部２７に対して２Ｄ撮影のための放射線の照射を開始させる制御信号を送信する。ＣＰＵ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は１ｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【０１２２】
ステップＳ４７においてＣＰＵ５０Ａは、放射線検出器３６からの画像データの受信待ちを行い、放射線検出器３６から画像データを受信すると処理をステップＳ４８に移行する。ステップＳ４８において、ＣＰＵ５０Ａは、取得した画像データを外部記憶装置５０Ｄに記憶する。
【０１２３】
ステップＳ４９においてＣＰＵ５０Ａは、放射線検出器３６のＦＰＤ制御部３５０に２Ｄ撮影おける画像データを適正に受信した旨の通知を行う。放射線検出器３６のＦＰＤ制御部３５０は、画像データがＣＰＵ５０Ａにおいて適正に受信された旨の通知を受信すると、画素２２０の各々のキャパシタ２１０に蓄積された電荷を除去するリセットモードに移行する。以上の各処理を経て２Ｄ撮影が終了し、トモシンセシス撮影に移行する。
【０１２４】
ステップＳ５０においてＣＵＰ５０は、消去光源駆動部３９に消去光の点灯を開始させる制御信号を送信する。ＣＰＵ５０Ａからの制御信号を受信した消去光源駆動部３９は消去光源３８に駆動信号を供給することにより消去光源３８を点灯状態とする。これにより、放射線検出器３６に消去光が照射され、放射線検出器３６のセンサ部１００に残留する残留電荷の消滅が促進され、残像が消去される。
【０１２５】
ステップＳ５１においてＣＰＵ５０Ａは、可動部駆動機構６０に対して可動アーム部１６の回転角度位置を初期位置に移動させる制御信号を送信する。ＣＰＵ５０Ａからの制御信号を受信した可動部駆動機構６０は、例えば、可動アーム部１６を傾きの最も大きい回転角度位置（図３に示す−Ｘ°の位置）に移動させる。なお、２Ｄ撮影を行う場合の可動アーム部１６の角度位置が、トモシンセシス撮影における第１ショット時の角度位置と同一である場合には、本ステップにおける処理を省略することができる。撮影準備が完了すると、放射線検出器３６はリセットモードから蓄積モードに移行する。
【０１２６】
ステップＳ５２においてＣＰＵ５０Ａは、放射線源駆動部２７に対してトモシンセシス撮影のための放射線の照射を開始させる制御信号を送信する。ＣＰＵ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は１００ｍｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【０１２７】
ステップＳ５３においてＣＰＵ５０Ａは、放射線検出器３６からの画像データの受信待ちを行い、放射線検出器３６から画像データを受信すると処理をステップＳ５４に移行する。ステップＳ５４において、ＣＰＵ５０Ａは、取得した画像データを外部記憶装置５０Ｄに記憶する。
【０１２８】
ステップＳ５５においてＣＰＵ５０Ａは、可動アーム部１６の回転角度位置が最終位置（本実施形態では、＋Ｘ°の位置）にあるか否かを判定し、最終位置にないものと判定した場合には処理をステップＳ５６に移行し、最終位置にあるものと判定した場合には処理をステップＳ５７に移行する。
【０１２９】
ステップＳ５６においてＣＰＵ５０Ａは、可動アーム部１６の回転角度位置を１段階だけ正方向に移動させる制御信号を可動部駆動機構６０に送信する。ＣＰＵ５０Ａからの制御信号を受信した可動部駆動機構６０は、可動アーム部１６の回転角度位置を１段階だけ正方向に移動させる。可動アーム部１６の移動が完了すると、ＣＰＵ５０Ａは、ステップＳ５２からステップＳ５６までの処理を繰り返し実行する。これにより、可動アーム部１６が−Ｘ°から＋Ｘ°まで移動する間に複数回に亘り放射線の照射が行われ、可動アーム部１６の各角度位置毎に画像データが取得され、取得された画像データの各々が外部記憶装置５０Ｄに記憶される。
【０１３０】
ステップＳ５７においてＣＰＵ５０Ａは、放射線検出器３６のＦＰＤ制御部３５０にトモシンセシス撮影における全ての画像データを適正に受信した旨の通知を行う。放射線検出器３６のＦＰＤ制御部３５０は、かかる通知を受信すると画素２２０の各々をリセットし、キャパシタ２１０に蓄積された電荷を除去する。
【０１３１】
ステップＳ５８においてＣＰＵ５０Ａは、消去光源駆動部３９に消去光を消灯させる制御信号を送信する。ＣＰＵ５０Ａからの制御信号を受信した消去光源駆動部３９は消去光源３８を消灯状態とする。以上の各処理を経て本ルーチンが終了する。
【０１３２】
このように、本発明の第２の実施形態に係る放射線画像撮影装置によれば、第１の実施形態と同様、放射線の照射時間が比較的短く且つ連続的に複数の放射線画像を撮影するトモシンセシス撮影モードにおいて複数の放射線画像を取得する間、消去光源３８を継続して点灯させ、放射線の照射時間が比較的長い２Ｄ撮影モードにおいて放射線画像を取得する間、消去光源３８を消灯させる。従って、トモシンセシス撮影モードと２Ｄ撮影モードの両モードにおいて、従来よりも高画質の放射線画像を得ることができる。
【０１３３】
［第３の実施形態］
以下に、本発明の第３の実施形態について説明する。第１および第２の実施形態では、トモシンセシス撮影と２Ｄ撮影とを連続して行う場合を例示した。これに対して第３の実施形態に係る放射線画像撮影装置１０は、トモシンセシス撮影および２Ｄ撮影をそれぞれ単独で行う。
【０１３４】
図１３（ａ）は、２Ｄ撮影を単独で行う場合の放射線画像撮影装置１０の各部の動作タイミングを示すタイミングチャートである。図１３（ｂ）は、トモシンセシス撮影を単独で行う場合の放射線画像撮影装置１０の各部の動作タイミングを示すタイミングチャートである。
【０１３５】
２Ｄ撮影のための放射線の照射が開始される前の期間において、放射線検出器３６は、各画素２２０のリセットを行うリセットモードとなる。放射線検出器３６は、２Ｄ撮影のための放射線の照射の開始前にリセットモードを停止させる。また、２Ｄ撮影のための放射線の照射が開始される前の段階から消去光源３８は消灯状態とされる。
【０１３６】
放射線検出器３６において各画素２２０のリセットが完了すると２Ｄ撮影が開始される。２Ｄ撮影のための放射線の照射が行われるタイミングで放射線検出器３６は、蓄積モードに移行する。また、本実施形態において、２Ｄ撮影における放射線の１回の照射時間（放射線検出器３６における電荷蓄積時間）は１〜６ｓｅｃ程度である。蓄積期間中、消去光源３８は消灯状態を維持する。
【０１３７】
２Ｄ撮影のための放射線の照射が終了するタイミングで、放射線検出器３６は読み出しモードに移行する。読み出された電荷は、信号処理部３４０に供給され、２Ｄ撮影に基づく放射線画像の画像データが生成される。２Ｄ撮影における電荷の読み出し期間中、消去光源３８は消灯状態を維持する。
【０１３８】
放射線検出器３６は、電荷の読み出しが完了するとリセットモードに移行し、各ゲート線３１０に接続されたＴＦＴ２０２を順次オン状態とすることによってキャパシタ２１０に蓄積された電荷を排出する。また、電荷の読み出しが完了するタイミングで消去光源３８は点灯状態に移行する。本実施形態において、消去光源３８の点灯期間ｔ６は、５ｓｅｃとされており、２Ｄ撮影による残像の消去に十分な時間が確保されている。
【０１３９】
次に、トモシンセシス撮影を単独で行う場合について図１３（ｂ）を参照しつつ説明する。
【０１４０】
トモシンセシス撮影において最初の放射線の照射（第１ショット）の開始前に、放射線検出器３６は各画素２２０のリセットを行うリセットモードを停止させる。
【０１４１】
また、最初の放射線の照射（第１ショット）が開始される前のタイミングで、消去光源３８は点灯状態に移行する。本実施形態において、消去光源３８の点灯が開始されてから第１ショットが開始されるまでの期間ｔ７として１ｓｅｃ以上の時間が確保されている。消去光源３８は、トモシンセシス撮影期間中、点灯状態を維持する。
【０１４２】
第１ショットが行われるタイミングで、放射線検出器３６は、蓄積モードに移行する。なお、本実施形態において、トモシンセシス撮影における放射線の１回の照射時間（放射線検出器３６における電荷蓄積時間）は１００ｍｓｅｃ程度である。
【０１４３】
第１ショットが終了するタイミングで、放射線検出器３６は読み出しモードに移行し、当該照射角度に対応する放射線画像の画像データが生成される。
【０１４４】
第１ショット後の電荷の読み出しが完了すると、第１ショットとは異なる照射角度で、放射線の２回目の照射（第２ショット）が行われる。放射線検出器３６は、第１ショットの場合と同様、放射線の照射開始のタイミングで蓄積モードに移行し、放射線の照射終了のタイミングで読み出しモードに移行する。その後、放射線の照射角度を順次変化させながら、複数回に亘り放射線の照射が行われ、放射線検出器３６は放射線の照射タイミングに合わせて電荷の蓄積と読み出しを繰り返す。
【０１４５】
放射線検出器３６は、最終ショット後の電荷の読み出しが完了すると、リセットモードに移行する。また、最終ショット後の電荷の読み出しの終了後、期間ｔ８が経過するタイミングで消去光源３８は消灯状態に移行する。本実施形態において、期間ｔ８は、５ｓｅｃ程度とされており、トモシンセシス撮影による残像を消去するために十分な期間が確保されている。
【０１４６】
このように、本実施形態に係る放射線画像撮影装置１０においては、第１および第２の実施形態と同様、トモシンセシス撮影において放射線の照射角度を切り替えながら複数の放射線画像を取得している間、消去光源３８は点灯状態を維持する。これにより、各放射線画像の撮影において生じる残像を消去することができる。トモシンセシス撮影では、放射線の１回の照射時間が１００ｍｓｅｃ程度と２Ｄ撮影の場合（１〜６ｓｅｃ程度）よりも大幅に短いので、消去光を照射した状態で撮影を行っても画像にムラが生じにくい。
【０１４７】
また、複数回に亘る放射線の照射のタイミングに合わせて消去光の点灯および消灯を切り替えることはしないので、放射線検出器３６におけるオフセット変動を防止することができる。
【０１４８】
また、トモシンセシス撮影の開始前に消去光源３８が点灯状態に移行するので、トモシンセシス撮影の開始時点において、放射線検出器３６のセンサ部１００内の電荷を定常状態とすることができる。本実施形態においては、消去光源３８が点灯状態となってから第１ショットが行われまでの期間ｔ７として１ｓｅｃ以上の時間が確保されているので、蓄積モード移行時において放射線検出器３６のセンサ部１００内の電荷を定常状態とすることができ、オフセット変動をさらに効果的に防止することができる。なお、トモシンセシス撮影の開始前に消去光源３８を点灯状態に移行すればオフセット変動の抑制の効果が生じるので、期間ｔ７として１ｓｅｃよりも短い期間または長い期間を設定することが可能である。
【０１４９】
また、トモシンセシス撮影における最終ショット後の電荷の読み出しの終了後、消去光源３８が消灯状態に移行するまでの期間ｔ８として５ｓｅｃ程度の時間が確保されているので、確実に残像を消去することが可能である。なお、期間ｔ８として残像を消去するのに十分な時間が確保されていればよく、５ｓｅｃよりも短い時間または長い時間を設定してもよい。
【０１５０】
一方、２Ｄ撮影では、放射線の照射時間が１〜６ｓｅｃ程度と比較的長く、撮影期間中に消去光を放射線検出器３６に照射すると画像にムラが発生するおそれがある。本実施形態に係る放射線画像撮影装置１０においては、２Ｄ撮影のための放射線の照射が行われ、放射線検出器３６において電荷の蓄積および読み出しを行っている間、消去光源３８は消灯状態を維持するので、ムラの発生を防止することができる。
【０１５１】
図１４は、主制御部５０を構成するＣＰＵ５０Ａが２Ｄ撮影を単独で行う場合に実行する第３の実施形態に係る撮影制御プログラムにおける処理の流れを示すフローチャートであり、図１３（ａ）に示すタイミングチャートに対応する。この撮影制御プログラムは、ＲＯＭ５０Ｂに格納されている。なお、撮影制御プログラムの実行開始時点において、消去光源３８は消灯状態であるものとする。
【０１５２】
ステップＳ６１においてＣＰＵ５０Ａは、撮影モード選択指示の受信待ちを行う。ユーザは、操作パネル４８を操作することによって、撮影モードの選択を行うことが可能である。ここでは、一方向のみから放射線を照射して放射線画像を取得する２Ｄ撮影を単独で行う撮影モードが選択されたものとする。ＣＰＵ５０Ａは、撮影モードの選択指示を操作パネル４８から受信すると処理をステップＳ６２に移行する。
【０１５３】
ステップＳ６２においてＣＰＵ５０Ａは、可動部駆動機構６０に対して可動アーム部１６の回転角度位置を、２Ｄ撮影を行うための所定位置に移動させる制御信号を送信する。ＣＰＵ５０Ａからの制御信号を受信した可動部駆動機構６０は、例えば、放射線の照射方向が放射線検出器３６の検出面に対して直交するように（すなわち照射角度０°となるように）可動アーム部１６を移動させる。
【０１５４】
ステップＳ６３において撮影台に対する乳房Ｍのポジショニングが行われる。
【０１５５】
ステップＳ６４においてＣＰＵ５０Ａは、２Ｄ撮影の開始の指示がなされたか否かを判定する。ユーザが撮影ボタン（図示せず）を操作する等して２Ｄ撮影の開始を指示すると、処理はステップＳ６５に移行する。
【０１５６】
ステップＳ６５においてＣＰＵ５０Ａは、放射線検出器３６のＦＰＤ制御部３５０に放射線の照射準備が完了した旨の通知を行う。放射線検出器３６のＦＰＤ制御部３５０は、ＣＰＵ５０Ａから放射線の照射準備が完了した旨の通知を受信すると、画素２２０の各々のキャパシタ２１０に蓄積された電荷を除去するリセットモードから蓄積モードに移行する。
【０１５７】
ステップＳ６６においてＣＰＵ５０Ａは、放射線源駆動部２７に対して２Ｄ撮影のための放射線の照射を開始させる制御信号を送信する。ＣＰＵ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は１ｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像を生成し、当該放射線画像を示す画像データをＣＰＵ５０Ａに送信する。
【０１５８】
ステップＳ６７においてＣＰＵ５０Ａは、放射線検出器３６からの画像データの受信待ちを行い、放射線検出器３６から画像データを受信すると処理をステップＳ６８に移行する。ステップＳ６８において、ＣＰＵ５０Ａは、取得した画像データを外部記憶装置５０Ｄに記憶する。
【０１５９】
ステップＳ６９においてＣＰＵ５０Ａは、放射線検出器３６のＦＰＤ制御部３５０に２Ｄ撮影おける画像データを適正に受信した旨の通知を行う。放射線検出器３６のＦＰＤ制御部３５０は、ＣＰＵ５０Ａにおいて画像データが適正に受信された旨の通知を受信すると、画素２２０の各々のキャパシタ２１０に蓄積された電荷を除去するリセットモードに移行する。
【０１６０】
ステップＳ７０においてＣＰＵ５０Ａは、消去光源駆動部３９に消去光の点灯を開始させる制御信号を送信する。ＣＰＵ５０Ａからの制御信号を受信した消去光源駆動部３９は消去光源３８に駆動信号を供給して消去光源３８を点灯状態とする。これにより、放射線検出器３６に消去光が照射され、放射線検出器３６のセンサ部１００に残留する残留電荷の消滅が促進され、残像が消去される。
【０１６１】
ステップＳ７１においてＣＰＵ５０Ａは、消去光源３８が点灯状態に移行してから所定時間（例えば５ｓｅｃ）が経過した否か判定し、所定時間が経過したと判定した場合には処理をステップＳ７２に移行する。上記所定時間として、放射線検出器３６のセンサ部１００に残留する電荷を消滅させるのに十分な時間を適宜設定することが可能である。
【０１６２】
ステップＳ７２においてＣＰＵ５０Ａは、消去光源駆動部３９に消去光を消灯させる制御信号を送信する。ＣＰＵ５０Ａからの制御信号を受信した消去光源駆動部３９は消去光源３８を消灯状態とする。以上の各処理を経て本ルーチンが終了する。
【０１６３】
図１５は、主制御部５０を構成するＣＰＵ５０Ａがトモシンセシス撮影を単独で行う場合に実行する第３の実施形態に係る撮影制御プログラムにおける処理の流れを示すフローチャートであり、図１３（ｂ）に示すタイミングチャートに対応する。この撮影制御プログラムは、ＲＯＭ５０Ｂに格納されている。なお、撮影制御プログラムの実行開始時点において、消去光源３８は消灯状態であるものとする。
【０１６４】
ステップＳ８１においてＣＰＵ５０Ａは、撮影モード選択指示の受信待ちを行う。ユーザは、操作パネル４８を操作することによって撮影モードの選択を行うことが可能である。ここでは、複数の方向から放射線を連続的に照射して複数の放射線画像を取得するトモシンセシス撮影を単独で行う撮影モードが選択されたものとする。ＣＰＵ５０Ａは、撮影モードの選択指示を操作パネル４８から受信すると処理をステップＳ８２に移行する。
【０１６５】
ステップＳ８２において撮影台に対する乳房Ｍのポジショニングが行われる。
【０１６６】
ステップＳ８３においてＣＰＵ５０Ａは、トモシンセシス撮影の開始の指示がなされたか否かを判定する。ユーザが撮影ボタン（図示せず）を操作する等してトモシンセシス撮影の開始を指示すると、処理はステップＳ８４に移行する。
【０１６７】
ステップＳ８４において、ＣＰＵ５０Ａは、可動部駆動機構６０に対して可動アーム部１６の回転角度位置を初期位置に移動させる制御信号を送信する。ＣＵＰ５０Ａからの制御信号を受信した可動部駆動機構６０は、例えば、可動アーム部１６を傾きの最も大きい回転角度位置（図３に示す−Ｘ°の位置）に移動させる。
【０１６８】
ステップＳ８５においてＣＰＵ５０Ａは、消去光源駆動部３９に消去光の点灯を開始させる制御信号を送信する。ＣＰＵ５０Ａからの制御信号を受信した消去光源駆動部３９は、消去光源３８に駆動信号を供給して消去光源３８を点灯状態とする。これにより、放射線検出器３６に消去光が照射される。
【０１６９】
ステップＳ８６においてＣＰＵ５０Ａは、放射線検出器３６のＦＰＤ制御部３５０に放射線の照射準備が完了した旨の通知を行う。放射線検出器３６のＦＰＤ制御部３５０は、ＣＰＵ５０Ａから放射線の照射準備が完了した旨の通知を受信すると、画素２２０の各々のキャパシタ２１０に蓄積された電荷を除去するリセットモードから蓄積モードに移行する。
【０１７０】
ステップＳ８７においてＣＰＵ５０Ａは、放射線源駆動部２７に対してトモシンセシス撮影のための放射線の照射を開始させる制御信号を送信する。ＣＰＵ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は、１００ｍｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像を生成し、当該放射線画像を示す画像データをＣＰＵ５０Ａに送信する。
【０１７１】
ステップＳ８８においてＣＰＵ５０Ａは、放射線検出器３６からの画像データの受信待ちを行い、放射線検出器３６から画像データを受信すると処理をステップＳ８９に移行する。ステップＳ８９において、ＣＰＵ５０Ａは、取得した画像データを外部記憶装置５０Ｄに記憶する。
【０１７２】
ステップＳ９０においてＣＰＵ５０Ａは、可動アーム部１６の回転角度位置が最終位置（本実施形態では、＋Ｘ°の位置）にあるか否かを判定し、最終位置にないものと判定した場合には処理をステップＳ９１に移行し、最終位置にあるものと判定した場合には処理をステップＳ９２に移行する。
【０１７３】
ステップＳ９１においてＣＰＵ５０Ａは、可動アーム部１６の回転角度位置を１段階だけ正方向に移動させる制御信号を可動部駆動機構６０に送信する。ＣＰＵ５０Ａからの制御信号を受信した可動部駆動機構６０は、可動アーム部１６の回転角度位置を１段階だけ正方向に移動させる。可動アーム部１６の移動が完了すると、ＣＰＵ５０Ａは、ステップＳ８７からステップＳ９１までの処理を繰り返し実行する。これにより、可動アーム部１６が−Ｘ°から＋Ｘ°まで移動する間に複数回に亘り放射線の照射が行われ、可動アーム部１６の各角度位置毎に画像データが取得され、取得された画像データの各々が外部記憶装置５０Ｄに記憶される。
【０１７４】
ステップＳ９２においてＣＰＵ５０Ａは、消去光源駆動部３９に消去光を消灯させる制御信号を送信する。ＣＰＵ５０Ａからの制御信号を受信した消去光源駆動部３９は消去光源３８を消灯状態とする。以上の各処理を経て本ルーチンが終了する。
【０１７５】
このように、本発明の第３の実施形態に係る放射線画像撮影装置によれば、第１および第２の実施形態と同様、放射線の照射時間が比較的短く且つ連続的に複数の放射線画像を撮影するトモシンセシス撮影モードにおいて複数の放射線画像を取得する間、消去光源３８を継続して点灯させ、放射線の照射時間が比較的長い２Ｄ撮影モードにおいて放射線画像を取得する間、消去光源３８を消灯させる。従って、トモシンセシス撮影モードと２Ｄ撮影モードの両モードにおいて、従来よりも高画質の放射線画像を得ることができる。
【０１７６】
［第４の実施形態］
第１乃至第３の実施形態では、２Ｄ撮影時における放射線の照射時間よりも短い照射時間で放射線を連続的に照射して複数の放射線画像を連続的に取得する撮影モードとしてトモシンセシス撮影モードを例示した。第４の実施形態に係る放射線画像撮影装置１０は、２Ｄ撮影時における放射線の照射時間よりも短い照射時間で放射線を連続的に照射して複数の放射線画像を連続的に取得する撮影モードとして動画撮影（透視撮影）を行う。動画撮影とは、被写体である乳房Ｍに、所定の方向から所定のフレームレートで放射線を複数回に亘り連続的に照射することにより複数の放射線画像を連続的に生成する撮影をいう。撮影された画像は、放射線画像撮影装置１０に接続された外部モニタ上にリアルタイムで表示することが可能となっている。動画撮影時におけるフレームレートは例えば１０〜２０フレーム／ｓｅｃ程度であり、１回の放射線の照射時間は、２Ｄ撮影（静止画撮影）時よりも短い数十ｍｓｅｃ程度である。
【０１７７】
図１６は、動画撮影後に２Ｄ撮影（静止画撮影）を行う場合の放射線画像撮影装置１０の各部の動作タイミングを示すタイミングチャートである。
【０１７８】
動画撮影において最初の放射線の照射（第１ショット）が開始される前の期間において、放射線検出器３６は、各画素２２０のリセットを行う。放射線検出器３６は、第１ショットの開始前にリセットモードを停止させる。また、第１ショットが開始される前のタイミングで、消去光源３８は点灯状態に移行する。本実施形態において、消去光源３８の点灯が開始されてから第１ショットが開始されるまでの期間ｔ９として１ｓｅｃ以上の時間が確保されている。消去光源３８は、動画撮影期間中、点灯状態を維持する。
【０１７９】
第１ショットが行われるタイミングで、放射線検出器３６は、蓄積モードに移行する。なお、本実施形態において、動画撮影における放射線の１回の照射時間（放射線検出器３６における電荷蓄積時間）は５０ｍｓｅｃ程度である。
【０１８０】
第１ショットが終了するタイミングで、放射線検出器３６は、読み出しモードに移行し、第１フレームに対応する放射線画像の画像データを生成する。
【０１８１】
第１ショット後の電荷の読み出しが完了すると、放射線の２回目の照射（第２ショット）が行われる。放射線検出器３６は、第１ショットの場合と同様、放射線の照射開始のタイミングで蓄積モードに移行し、放射線の照射終了のタイミングで読み出しモードに移行して第２フレームに対応する放射線画像の画像データを生成する。その後、同様に複数回に亘り放射線の照射が行われ、放射線検出器３６は放射線の照射タイミングに合わせて電荷の蓄積と読み出しを繰り返す。
【０１８２】
動画撮影における最後の放射線の照射（最終ショット）が行われ、最終ショット後の電荷の読み出しが終了するタイミングで消去光源３８は消灯状態に移行する。すなわち、消去光源３８は、第１ショットの開始前から最終ショット後の電荷の読み出しが終了するまでの期間に亘り点灯状態を維持する。これにより、各ショットにおいてセンサ部１００に生じる残留電荷の消滅が促進され、各ショットにおける残像が消去される。
【０１８３】
動画撮影が完了すると、放射線検出器３６はリセットモードに移行する。リセット期間中、消去光源３８は消灯状態を維持する。
【０１８４】
放射線検出器３６において各画素２２０のリセットが完了すると２Ｄ撮影（静止画撮影）に移行する。放射線検出器３６は、２Ｄ撮影のための放射線の照射が行われるタイミングで蓄積モードに移行する。本実施形態において、動画撮影の終了に伴って消去光源３８が消灯状態に移行してから２Ｄ撮影のための放射線の照射が開始されるまでの期間ｔ１０として１ｓｅｃ以上の時間が確保されている。また、本実施形態において、２Ｄ撮影における放射線の１回の照射時間（放射線検出器３６における電荷蓄積時間）は１〜６ｓｅｃ程度である。放射線検出器３６が２Ｄ撮影のための電荷の蓄積を行っている間、消去光源３８は消灯状態を維持する。
【０１８５】
２Ｄ撮影のための放射線の照射が終了するタイミングで、放射線検出器３６は読み出しモードに移行する。これにより２Ｄ撮影による放射線画像の画像データが生成される。
放射線検出器３６が電荷の読み出しを行っている間、消去光源３８は消灯状態を維持する。
【０１８６】
放射線検出器３６は、電荷の読み出しが完了するとリセットモードに移行する。また、電荷の読み出しが完了するタイミングで消去光源３８は点灯状態となる。消去光源３８は、残像を消去するために十分な期間ｔ１１（例えば５ｓｅｃ）に亘り点灯状態を維持し、その後消灯状態となる。
【０１８７】
このように、本実施形態に係る放射線画像撮影装置１０においては、動画撮影において複数の放射線画像を連続的に取得している間、消去光源３８は点灯状態を維持する。これにより、各放射線画像の撮影において生じる残像を消去することができる。動画撮影では、放射線の１回の照射時間が数十ｍｓｅｃ程度と２Ｄ撮影の場合（１〜６ｓｅｃ程度）よりも大幅に短いので、消去光を照射した状態で撮影を行っても画像にムラが生じにくい。
【０１８８】
また、複数回に亘る放射線の照射のタイミングに合わせて消去光の点灯および消灯を切り替えることはしないので、放射線検出器３６におけるオフセット変動を防止することができる。また、消去光源３８が点灯状態となってから第１ショットが行われまでの期間ｔ９として１ｓｅｃ以上の時間が確保されているので、蓄積モード移行時において放射線検出器３６のセンサ部１００内の電荷を定常状態とすることができる。すなわち、消去光源３８が点灯状態または消灯状態となった後、光導電層１０３内における電荷が定常状態となるまでにある程度の時間を要する。期間ｔ９として１ｓｅｃ以上の時間を確保することにより、蓄積モード移行時において光導電層１０３内の電荷を定常状態とすることができ、オフセット変動をさらに効果的に防止することができる。なお、動画撮影の開始前に消去光源３８を点灯状態に移行すればオフセット変動の抑制の効果が生じるので、期間ｔ９として１ｓｅｃよりも短い期間または長い期間を設定してもよい。
【０１８９】
一方、２Ｄ撮影では、放射線の照射時間が１〜６ｓｅｃ程度と比較的長く、２Ｄ撮影中に消去光を放射線検出器３６に照射すると画像にムラが発生するおそれがある。本実施形態に係る放射線画像撮影装置１０においては、２Ｄ撮影のための放射線の照射が行われ、放射線検出器３６において電荷の蓄積および読み出しを行っている間、消去光源３８は消灯状態を維持するので、ムラの発生を防止することができる。
【０１９０】
また、２Ｄ撮影が開始される前に消去光源３８が消灯状態に移行するので、２Ｄ撮影の開始時点において、放射線検出器３６のセンサ部１００内の電荷を定常状態とすることができる。本実施形態においては、動画撮影の終了後、消去光源３８が消灯状態に移行してから２Ｄ撮影が開始されるまでの期間ｔ１０として１ｓｅｃ以上の時間が確保されている。これにより、２Ｄ撮影における蓄積モード移行時に放射線検出器３６のセンサ部１００内の電荷を定常状態とすることができ、２Ｄ撮影においてオフセット変動を防止することができる。なお、２Ｄ撮影の開始前に消去光源３８を消灯状態に移行すればオフセット変動の抑制の効果が生じるので、期間ｔ１０として１ｓｅｃよりも短い期間または長い期間を設定してもよく、動画撮影モードから２Ｄ撮影モードへの移行期間等を勘案して適宜変更することが可能である。本実施形態のように、動画撮影における最終ショット後の電荷の読み出しが完了した時点で消去光源３８を消灯状態に移行することで、期間ｔ１０を最大とすることができる。
【０１９１】
また、２Ｄ撮影における電荷の読み出しの終了後、消去光源３８が点灯状態となる期間ｔ１１として５ｓｅｃの時間が確保されているので、確実に残像を消去することが可能である。なお、期間ｔ１１として残像を消去するのに十分な時間が確保されていればよく５ｓｅｃよりも短い時間または長い時間を設定してもよい。また、２Ｄ撮影後にセンサ部１００に残留する残留電荷を自然消滅させるのに十分な時間が確保されている場合には、２Ｄ撮影後における消去光源３８の点灯を省略することが可能である。
【０１９２】
図１７および図１８は、主制御部５０を構成するＣＰＵ５０Ａが実行する第４の実施形態に係る撮影制御プログラムにおける処理の流れを示すフローチャートである。撮影制御プログラムは、ＲＯＭ５０Ｂに格納されている。図１７および図１８に示すフローチャートは、図１６に示すタイミングチャートに対応するものである。なお、撮影制御プログラムの実行開始時点において、消去光源３８は消灯状態であるものとする。
【０１９３】
ステップＳ１０１においてＣＰＵ５０Ａは、撮影モード選択指示の受信待ちを行う。ユーザは、操作パネル４８を操作することによって、撮影モードの選択を行うことが可能である。ここでは、所定の時間間隔で放射線を連続的に照射して複数の放射線画像を連続的に取得する動画撮影の後に単一の放射線画像を取得する２Ｄ撮影（静止画撮影）を行う撮影モードが選択されたものとする。ＣＰＵ５０Ａは、撮影モードの選択指示を操作パネル４８から受信すると処理をステップＳ１０２に移行する。
【０１９４】
ステップＳ１０２において撮影台に対する乳房Ｍのポジショニングが行われる。
【０１９５】
ステップＳ１０３においてＣＰＵ５０Ａは、動画撮影の開始の指示がなされたか否かを判定する。ユーザが撮影ボタン（図示せず）を操作する等して動画撮影の開始を指示すると、処理はステップＳ１０５に移行する。
【０１９６】
ステップＳ１０５においてＣＰＵ５０Ａは、消去光源駆動部３９に消去光の点灯を開始させる制御信号を送信する。ＣＵＰ５０Ａからの制御信号を受信した消去光源駆動部３９は、消去光源３８に駆動信号を供給して消去光源３８を点灯状態とする。これにより、放射線検出器３６に消去光が照射される。
【０１９７】
ステップＳ１０６においてＣＰＵ５０Ａは、放射線検出器３６のＦＰＤ制御部３５０に放射線の照射準備が完了した旨の通知を行う。放射線検出器３６のＦＰＤ制御部３５０は、ＣＰＵ５０Ａから放射線の照射準備が完了した旨の通知を受信すると、画素２２０の各々のキャパシタ２１０に蓄積された電荷を除去するリセットモードから蓄積モードに移行する。
【０１９８】
ステップＳ１０７においてＣＰＵ５０Ａは、放射線源駆動部２７に対して動画撮影のための放射線の照射を開始させる制御信号を送信する。ＣＵＰ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は、５０ｍｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【０１９９】
ステップＳ１０８においてＣＰＵ５０Ａは、放射線検出器３６からの画像データの受信待ちを行い、放射線検出器３６から画像データを受信すると処理をステップＳ１０９に移行する。ステップＳ１０９において、ＣＰＵ５０Ａは、取得した画像データを外部記憶装置５０Ｄに記憶するとともに、外部モニタに送信する。外部モニタには、放射線画像がリアルタイムで表示される。
【０２００】
ステップＳ１１０においてＣＰＵ５０Ａは、所定数の放射線画像の撮影が完了したか否かを判定し、所定数の放射線画像の撮影が完了していないものと判定した場合には処理をステップＳ１０７に戻し、所定数の放射線画像の撮影が完了したものと判定した場合には処理をステップＳ１１１に移行する。
【０２０１】
ＣＰＵ５０Ａは、所定数の放射線画像の撮影が完了するまでステップＳ１０７からステップＳ１１０までの処理を繰り返し実行する。これにより、所定フレーム数の動画撮影が行われ、外部モニタにリアルタイムで表示される。
【０２０２】
ステップＳ１１１においてＣＰＵ５０Ａは、消去光源駆動部３９に消去光を消灯させる制御信号を送信する。ＣＵＰ５０Ａからの制御信号を受信した消去光源駆動部３９は消去光源３８を消灯状態とする。
【０２０３】
ステップＳ１１２においてＣＰＵ５０Ａは、２Ｄ撮影の開始の指示がなされたか否かを判定する。ユーザが撮影ボタン（図示せず）を操作する等して２Ｄ撮影の開始を指示すると、処理はステップＳ１１３に移行する。
【０２０４】
ステップＳ１１３においてＣＰＵ５０Ａは、放射線検出器３６のＦＰＤ制御部３５０に２Ｄ撮影のための放射線の照射準備が完了した旨の通知を行う。放射線検出器３６のＦＰＤ制御部３５０は、ＣＰＵ５０Ａから放射線の照射準備が完了した旨の通知を受信すると、画素２２０の各々のキャパシタ２１０に蓄積された電荷を除去するリセットモードから蓄積モードに移行する。
【０２０５】
ステップＳ１１４においてＣＰＵ５０Ａは、放射線源駆動部２７に対して２Ｄ撮影のための放射線の照射を開始させる制御信号を送信する。ＣＵＰ５０Ａからの制御信号を受信した放射線源駆動部２７は、所定の照射条件にて放射線の照射を行うべく放射線源２６を駆動する。これにより、放射線源２６から乳房Ｍに向けて放射線が照射される。なお、本ステップにおける放射線の照射時間は、１〜６ｓｅｃ程度である。乳房Ｍを透過した放射線は、放射線検出器３６に照射される。放射線検出器３６は、放射線の照射タイミングに合わせて蓄積モードおよび読み出しモードに移行し、乳房Ｍを透過して照射された放射線の線量分布に応じた放射線画像の画像データを生成し、生成した画像データをＣＰＵ５０Ａに送信する。
【０２０６】
ステップＳ１１５においてＣＰＵ５０Ａは、放射線検出器３６からの画像データの受信待ちを行い、放射線検出器３６から画像データを受信すると処理をステップＳ１１６に移行する。ステップＳ１１６において、ＣＰＵ５０Ａは、取得した画像データを外部記憶装置５０Ｄに記憶する。
【０２０７】
ステップＳ１１７においてＣＰＵ５０Ａは、放射線検出器３６のＦＰＤ制御部３５０に画像データを適正に受信した旨の通知を行う。放射線検出器３６のＦＰＤ制御部３５０は、ＣＰＵ５０Ａから画像データを適正に受信した旨の通知を受信すると、画素２２０の各々のキャパシタ２１０に蓄積された電荷を除去するリセットモードに移行する。
【０２０８】
ステップＳ１１８においてＣＰＵ５０Ａは、消去光源駆動部３９に消去光の点灯を開始させる制御信号を送信する。ＣＵＰ５０Ａからの制御信号を受信した消去光源駆動部３９は消去光源３８に駆動信号を供給して消去光源３８を点灯状態とする。これにより、放射線検出器３６に消去光が照射され、放射線検出器３６のセンサ部１００に残留する残留電荷の消滅が促進され、残像が消去される。
【０２０９】
ステップＳ１１９においてＣＰＵ５０Ａは、消去光源３８が点灯状態に移行してから所定時間（例えば５ｓｅｃ）が経過した否か判定し、所定時間が経過したと判定した場合には処理をステップＳ１２０に移行する。上記所定時間として、放射線検出器３６のセンサ部１００に残留する電荷を消滅させるのに十分な時間を適宜設定することが可能である。
【０２１０】
ステップＳ１２０においてＣＰＵ５０Ａは、消去光源駆動部３９に消去光を消灯させる制御信号を送信する。ＣＵＰ５０Ａからの制御信号を受信した消去光源駆動部３９は消去光源３８を消灯状態とする。以上の各処理を経て本ルーチンが終了する。
【０２１１】
このように、本発明の第４の実施形態に係る放射線画像撮影装置によれば、第１乃至第３の実施形態と同様、放射線の照射時間が比較的短く且つ連続的に複数の放射線画像を連続的に撮影する動画撮影モードにおいて複数の放射線画像を取得する間、消去光源３８を継続して点灯させ、放射線の照射時間が比較的長い２Ｄ撮影（静止画撮影）モードにおいて放射線画像を取得する間、消去光源３８を消灯させる。従って、動画撮影モードと２Ｄ撮影モードの両モードにおいて、従来よりも高画質の放射線画像を得ることができる。
【符号の説明】
【０２１２】
１０  放射線画像撮影装置
２６  放射線源
３６  放射線検出器
３８  消去光源
５０  主制御部
５０Ａ  ＣＰＵ
１００  センサ部
【図１】
0005952247.tif 000002
【図２】
0005952247.tif 000003
【図３】
0005952247.tif 000004
【図４】
0005952247.tif 000005
【図５】
0005952247.tif 000006
【図６】
0005952247.tif 000007
【図７】
0005952247.tif 000008
【図８】
0005952247.tif 000009
【図９】
0005952247.tif 000010
【図１０】
0005952247.tif 000011
【図１１】
0005952247.tif 000012
【図１２】
0005952247.tif 000013
【図１３】
0005952247.tif 000014
【図１４】
0005952247.tif 000015
【図１５】
0005952247.tif 000016
【図１６】
0005952247.tif 000017
【図１７】
0005952247.tif 000018
【図１８】
0005952247.tif 000019